【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
一対の電極と、前記一対の電極の間に配置されている光電変換部と、を有する有機光電変換素子であって、
前記光電変換部が、少なくとも第一の有機化合物層を有し、
前記第一の有機化合物層が、下記一般式［１］に示される化合物を有することを特徴とする、有機光電変換素子。
【化１】
2017157731.tif 000001
（式［１］において、Ａｒ1及びＡｒ2は、それぞれ炭素原子数１乃至８のアルキル基、炭素原子数６乃至１８の芳香族炭化水素基又は炭素原子数３乃至１５の複素芳香環基を表す。尚、Ａｒ1及びＡｒ2は、ハロゲン原子、シアノ基、炭素原子数１乃至６のアルキル基、フェニル基、トリル基、キシリル基、メシチル基及びクメニル基から選択される置換基をさらに有してもよい。尚、Ａｒ1及びＡｒ2が、炭素原子数６乃至１８の芳香族炭化水素基又は炭素原子数３乃至１５の複素芳香環基である場合、Ａｒ1とＡｒ2とが、単結合、アルキル基を有してもよいメチレン基又はエチレン基のいずれかを介して、互いに結合して環構造を形成してもよい。
Ａｒ3は、ピレン−１，６−ジイル基、ピレン−２，７−ジイル基、ベンゾピレンジイル基、トリフェニレンジイル基、ペリレンジイル基又はクリセンジイル基である。前記Ａｒ3は、フッ素原子、シアノ基、メチル基又はｔｅｒｔ−ブチル基をさらに有してもよい。またＡｒ3が、ピレン−１，６−ジイル基、ベンゾピレンジイル基、トリフェニレンジイル基、ペリレンジイル基又はクリセンジイル基であって、Ａｒ2が、炭素原子数６乃至１８の芳香族炭化水素基又は炭素原子数３乃至１５の複素芳香環基である場合、Ａｒ2とＡｒ3とが、単結合、アルキル基を有してもよいメチレン基又はエチレン基のいずれかを介して、互いに結合して環構造を形成してもよい。またＡｒ3が、ピレン−２，７−ジイル基であって、Ａｒ2が、炭素原子数６乃至１８の芳香族炭化水素基又は炭素原子数３乃至１５の複素芳香環基である場合、Ａｒ2とＡｒ3とが、単結合、アルキル基を有してもよいメチレン基又はエチレン基のいずれかを介して、互いに結合して環構造を形成する。
Ｑは、下記一般式［２ａ］乃至［２ｅ］に示される置換基群から選ばれる置換基である。
【化２】
2017157731.tif 000002
（式［２ａ］乃至［２ｅ］において、Ｒ1乃至Ｒ27は、それぞれ水素原子、フッ素原子、炭素原子数１乃至４のアルキル基及びシアノ基から選択される置換基である。＊は、Ａｒ3との結合手を表す。））
【請求項２】
前記Ａｒ3が、ペリレンジイル基であることを特徴とする請求項１に記載の有機光電変換素子。
【請求項３】
前記Ａｒ1又は前記Ａｒ2において、
前記芳香族炭化水素基が、フェニル基又はナフチル基であり、
前記複素芳香環基が、ピリジル基、ベンゾチエニル基又はベンゾフラニル基であることを特徴とする、請求項１又は２に記載の有機光電変換素子。
【請求項４】
前記Ｑが、前記式［２ａ］乃至［２ｃ］から選ばれる置換基であることを特徴とする、請求項１乃至３のいずれか一項に記載の有機光電変換素子。
【請求項５】
前記第一の有機化合物層が、さらにフラーレン誘導体を有することを特徴とする、請求項１乃至４のいずれか一項に記載の有機光電変換素子。
【請求項６】
前記一対の電極のうちの一方の電極と前記光電変換部との間に、第二の有機化合物層が配置されることを特徴とする、請求項１乃至５のいずれか一項に記載の有機光電変換素子。
【請求項７】
前記一対の電極のうちの他方の電極と前記光電変換部との間に、第三の有機化合物層が配置されることを特徴とする、請求項６に記載の有機光電変換素子。
【請求項８】
請求項１乃至７のいずれか一項に記載の有機光電変換素子を複数有し、複数の前記有機光電変換素子が面内方向に二次元に配置されていることを特徴とする、光エリアセンサ。
【請求項９】
受光する光の波長が異なる複数種類の有機光電変換素子を有し、
前記複数種類の有機光電変換素子のうち少なくとも一種類の有機光電変換素子が、請求項１乃至７のいずれか一項に記載の有機光電変換素子であり、
前記複数種類の有機光電変換素子が、積層されていることを特徴とする、有機光電変換装置。
【請求項１０】
請求項９に記載の有機光電変換装置を複数有し、
複数の前記光電変換装置が、面内方向に二次元に配置されることを特徴とする、光エリアセンサ。
【請求項１１】
複数の有機光電変換素子と、各前記有機光電変換素子のそれぞれに接続されるトランジスタと、を有し、
前記有機光電変換素子が、請求項１乃至７のいずれか一項に記載の有機光電変換素子であり、
前記有機光電変換素子が受光画素であることを特徴とする、撮像素子。
【請求項１２】
前記撮像素子が、前記受光画素に対応したカラーフィルタ又は光フィルタを有することを特徴とする、請求項１１に記載の撮像素子。
【請求項１３】
前記撮像素子が光フィルタを有し、
前記光フィルタが、赤外線以上の波長を透過するローパスフィルタ又は紫外線以下の波長を透過するロングパスフィルタのいずれかであることを特徴とする、請求項１２に記載の撮像素子。
【請求項１４】
複数の前記受光画素のそれぞれに対応するように光学部材が配置されることを特徴とする、請求項１１乃至１３のいずれか一項に記載の撮像素子。
【請求項１５】
撮像光学系と、前記撮像光学系を通過した光を受光する撮像素子とを有し、前記撮像素子が、請求項１１乃至１４のいずれか一項に記載の撮像素子であることを特徴とする、撮像装置。
【請求項１６】
撮像光学系と接合可能な接合部と、請求項１１乃至１４のいずれか一項に記載の撮像素子と、を有することを特徴とする、撮像装置。
【請求項１７】
前記撮像装置が、デジタルカメラ又はデジタルスチルカメラであることを特徴とする請求項１５又は１６に記載の撮像装置。
【請求項１８】
外部からの信号を受信する受信部をさらに有し、
前記信号が、前記撮像装置の撮像範囲、撮像の開始、撮像の終了の少なくともいずれかを制御する信号であることを特徴とする請求項１５乃至１７のいずれか一項に記載の撮像装置。
【請求項１９】
取得した画像を外部に送信する送信部をさらに有することを特徴とする、請求項１５乃至１８のいずれか一項に記載の撮像装置。
【手続補正２】
【補正対象書類名】明細書
【補正対象項目名】０００６
【補正方法】変更
【補正の内容】
【０００６】
本発明の有機光電変換素子は、一対の電極と、前記一対の電極の間に配置されている光電変換部と、を有する有機光電変換素子であって、
前記光電変換部が、少なくとも第一の有機化合物層を有し、
前記第一の有機化合物層が、下記一般式［１］に示される化合物を有することを特徴とする。
【手続補正３】
【補正対象書類名】明細書
【補正対象項目名】０００７
【補正方法】変更
【補正の内容】
【０００７】
【化３】
2017157731.tif 000003
（式［１］において、Ａｒ1及びＡｒ2は、それぞれ炭素原子数１乃至８のアルキル基、炭素原子数６乃至１８の芳香族炭化水素基又は炭素原子数３乃至１５の複素芳香環基を表す。尚、Ａｒ1及びＡｒ2は、ハロゲン原子、シアノ基、炭素原子数１乃至６のアルキル基、フェニル基、トリル基、キシリル基、メシチル基及びクメニル基から選択される置換基をさらに有してもよい。尚、Ａｒ1及びＡｒ2が、炭素原子数６乃至１８の芳香族炭化水素基又は炭素原子数３乃至１５の複素芳香環基である場合、Ａｒ1とＡｒ2とが、単結合、アルキル基を有してもよいメチレン基又はエチレン基のいずれかを介して、互いに結合して環構造を形成してもよい。
Ａｒ3は、ピレン−１，６−ジイル基、ピレン−２，７−ジイル基、ベンゾピレンジイル基、トリフェニレンジイル基、ペリレンジイル基又はクリセンジイル基である。前記Ａｒ3は、フッ素原子、シアノ基、メチル基又はｔｅｒｔ−ブチル基をさらに有してもよい。またＡｒ3が、ピレン−１，６−ジイル基、ベンゾピレンジイル基、トリフェニレンジイル基、ペリレンジイル基又はクリセンジイル基であって、Ａｒ2が、炭素原子数６乃至１８の芳香族炭化水素基又は炭素原子数３乃至１５の複素芳香環基である場合、Ａｒ2とＡｒ3とが、単結合、アルキル基を有してもよいメチレン基又はエチレン基のいずれかを介して、互いに結合して環構造を形成してもよい。またＡｒ3が、ピレン−２，７−ジイル基であって、Ａｒ2が、炭素原子数６乃至１８の芳香族炭化水素基又は炭素原子数３乃至１５の複素芳香環基である場合、Ａｒ2とＡｒ3とが、単結合、アルキル基を有してもよいメチレン基又はエチレン基のいずれかを介して、互いに結合して環構造を形成する。
Ｑは、下記一般式［２ａ］乃至［２ｅ］に示される置換基群から選ばれる置換基である。
【手続補正４】
【補正対象書類名】明細書
【補正対象項目名】００１７
【補正方法】変更
【補正の内容】
【００１７】
図１の有機光電変換素子１において、第一の有機化合物層１０は、層内に、光を受けることで励起する化合物を有している。また第一の有機化合物層１０は、当該化合物の分子を光で励起させた後で生じる電荷、即ち、電子及び正孔を電子捕集電極１４、正孔捕集電極１３へそれぞれ運搬する役割も果たしている。第一の有機化合物層１０には、後述するように光を電荷に変換する有機化合物が含まれるため、第一の有機化合物層１０は光電変換層又は光電変換部を構成する層である。ただし、本発明において、有機光電変換素子を構成する光電変換部は、第一の有機化合物層１０のみに限定されるものではない。
【手続補正５】
【補正対象書類名】明細書
【補正対象項目名】０１０１
【補正方法】変更
【補正の内容】
【０１０１】
本発明に係る有機光電変換素子は、面内方向に二次元に配置させることで光エリアセンサの構成部材として用いることができる。光エリアセンサは、有機光電変換素子を複数有し、複数の有機光電変換素子が、行方向及び列方向にそれぞれ複数配置されている。尚、この光エリアセンサに含まれる有機光電変換素子を、上述した有機光電変換装置に換えてもよい。